(57)【要約】【課題】上階の部屋と、吹き抜け部を有する下階の部屋とを開放感のある部屋とすることができるとともに、物品等の落下を確実に防ぐことによって安全性の向上を図ることが可能な落下防止構造を提供することを目的とする。【解決手段】上階の部屋２の床２ａの縁部に、吹き抜け部１の上部空間１ａに面する手摺壁３が立設されており、手摺壁３の上階の部屋２側面には、上面が、上階の部屋２側に向かうにつれて下方に所定角度で傾斜する机台４が設けられており、手摺壁３の上端部には、机台４の不使用時には上階の部屋２側に水平に突出するように配置されるとともに、机台４の使用時には吹き抜け部１の上部空間１ａ側に水平に突出するようにして配置される柵状体６と、この柵状体６の突出向きを変更可能とするとともに、この柵状体６を手摺壁３の上端部に固定する固定手段７とを備える落下防止装置５が設けられている。【選択図】図１
2010222919.tif 000002
【特許請求の範囲】
【請求項１】
上階の部屋と、下階から上階に吹き抜ける吹き抜け部の上部空間とが隣接しており、
前記上階の部屋の床の縁部に、前記吹き抜け部の上部空間に面する手摺壁が立設されており、
前記手摺壁の上階の部屋側面には、前記上階の部屋側に突出するとともに、上面が、上階の部屋側に向かうにつれて下方に所定角度で傾斜する机台が設けられており、
前記手摺壁の上端部には、前記机台の不使用時には上階の部屋側に水平に突出するように配置されるとともに、前記机台の使用時には吹き抜け部の上部空間側に水平に突出するようにして配置される柵状体と、
この柵状体の突出向きを変更可能とするとともに、この柵状体を前記手摺壁の上端部に固定する固定手段とを備える落下防止装置が設けられていることを特徴とする落下防止構造。
【請求項２】
請求項１に記載の落下防止構造において、
前記固定手段は、前記柵状体の基端部から垂直方向下方に突出するようにして設けられるとともに、前記手摺壁の上端面から該手摺壁の高さ方向に沿って下方に延在する差込孔部に差し込まれる差込ロッドであることを特徴とする落下防止構造。
【請求項３】
請求項１に記載の落下防止構造において、
前記固定手段は、前記柵状体の基端部に回動自在に連結されるとともに前記手摺壁の上端面に固定される固定部材であり、
この固定部材は、前記柵状体の直立姿勢を保持する姿勢保持手段を備えていることを特徴とする落下防止構造。
【請求項４】
請求項１〜３のいずれか一項に記載の落下防止構造において、
前記机台は、前記手摺壁の上階の部屋側面から前記上階の部屋側に水平に突出する台本体と、この台本体の上面に載置されるとともに、上面が、上階の部屋側に向かうにつれて下方に所定角度で傾斜する角度調整体とを備えていることを特徴とする落下防止構造。
【請求項５】
請求項１〜３のいずれか一項に記載の落下防止構造において、
前記机台は、前記手摺壁の上階の部屋側面から前記上階の部屋側に突出するとともに、上階の部屋側に向かうにつれて下方に所定角度で傾斜する台本体と、この台本体の上面に載置されるとともに、この台本体の上面に載置されることによって上面が水平面となる角度調整体とを備えていることを特徴とする落下防止構造。
【請求項６】
請求項１〜５のいずれか一項に記載の落下防止構造において、
前記柵状体は水平方向に沿って所定の範囲内で伸縮自在に構成されていることを特徴とする落下防止構造。
【発明の詳細な説明】
【技術分野】
【０００１】
本発明は、吹き抜け部の上部空間に面する手摺壁の上端部に落下防止装置が設けられてなる落下防止構造に関する。
【背景技術】
【０００２】
小屋裏を利用した上階の部屋と、下階から上階に吹き抜ける吹き抜け部の上部空間とが隣接するようにして配置されており、上階の部屋の床の縁部に、吹き抜け部の上部空間に面する手摺壁が立設されている建物が知られている（例えば、特許文献１参照）。
このように上階の部屋の床の縁部に手摺壁を立設することによって、上階の部屋の床から下階への物品等の落下を防ぐことができるようになっている。また、上階の部屋と、吹き抜け部の上部空間とが隣接配置されているので、この上階の部屋と、吹き抜け部を有する下階の部屋とを開放感のある部屋とすることができる。
【先行技術文献】
【特許文献】
【０００３】
【特許文献１】特開２００７−１００４００号公報
【発明の概要】
【発明が解決しようとする課題】
【０００４】
ところで、近年、特に都市部では敷地が比較的狭小であり、部屋をいくつも確保することが難しいため、例えば、特許文献１のような小屋裏を利用した部屋を、子どものための勉強部屋を始め、その他多目的に使用できる部屋として利用したいという要望がある。このような場合、より省スペース化を図るために既製の机を上階の部屋に設置せずに、手摺壁の上階の部屋側面に、机として利用できる机台を突設することが考慮されている。
ところが、このように手摺壁に机台を設ける場合、この手摺壁は吹き抜け部の上部空間に面して立設されているため、物品等の下階への落下を確実に防がなければならないという課題が生じる。また、この課題を解決するために手摺壁の高さを必要以上に高くすることは、上階の部屋と、吹き抜け部を有する下階の部屋との開放感を損なう場合があり、好ましくない。
【０００５】
本発明の課題は、上階の部屋と、吹き抜け部を有する下階の部屋とを開放感のある部屋とすることができるとともに、物品等の落下を確実に防ぐことによって安全性の向上を図ることが可能な落下防止構造を提供することを目的とする。
【課題を解決するための手段】
【０００６】
請求項１に記載の発明は、例えば図１〜図６に示すように、上階の部屋２と、下階から上階に吹き抜ける吹き抜け部１の上部空間１ａとが隣接しており、
前記上階の部屋２の床２ａの縁部に、前記吹き抜け部１の上部空間１ａに面する手摺壁３が立設されており、
前記手摺壁３の上階の部屋２側面には、前記上階の部屋２側に突出するとともに、上面が、上階の部屋２側に向かうにつれて下方に所定角度で傾斜する机台４，１４が設けられており、
前記手摺壁３の上端部には、前記机台４，１４の不使用時には上階の部屋２側に水平に突出するように配置されるとともに、前記机台４，１４の使用時には吹き抜け部１の上部空間１ａ側に水平に突出するようにして配置される柵状体６と、
この柵状体６の突出向きを変更可能とするとともに、この柵状体６を前記手摺壁３の上端部に固定する固定手段７，１７とを備える落下防止装置５，１５が設けられていることを特徴とする。
【０００７】
請求項１に記載の発明によれば、上階の部屋２と、下階から上階に吹き抜ける吹き抜け部１の上部空間１ａとが隣接しているので、前記上階の部屋２と、前記吹き抜け部１を有する下階の部屋とを開放感のある部屋とすることができる。
また、前記手摺壁３の上端部には、前記机台４，１４の不使用時には上階の部屋２側に水平に突出するように配置されるとともに、前記机台４，１４の使用時には吹き抜け部１の上部空間１ａ側に水平に突出するようにして配置される柵状体６と、この柵状体６の突出向きを変更可能とするとともに、この柵状体６を前記手摺壁３の上端部に固定する固定手段７，１７とを備えた落下防止装置５，１５が設けられているので、前記机台４，１４の不使用時に、前記柵状体６を上階の部屋２側に水平に突出させることで、例えば子どもが前記机台４，１４上に乗ることを防ぐことができる。さらに、前記机台４，１４の使用時に、前記柵状体６を吹き抜け部１の上部空間１ａ側に水平に突出させることで、前記手摺壁３上からの物品等の落下を防ぐことができる。また、前記机台４，１４の上面は、上階の部屋２側に向かうにつれて下方に所定角度で傾斜しているので、例えば子どもが前記机台４，１４上に乗りにくくなるだけでなく、万が一、子どもが前記机台４，１４上に乗ったとしても、身体の重心が上階の部屋２側にかかることになるので、身体の重心が吹き抜け部１の上部空間１ａ側にかかる場合に比して安全性が高い。
【０００８】
請求項２に記載の発明は、例えば図３および図４に示すように、請求項１に記載の落下防止構造において、
前記固定手段７は、前記柵状体６の基端部から垂直方向下方に突出するようにして設けられるとともに、前記手摺壁３の上端面から該手摺壁３の高さ方向に沿って下方に延在する差込孔部３ａに差し込まれる差込ロッドであることを特徴とする。
【０００９】
請求項２に記載の発明によれば、前記固定手段７は、前記柵状体６の基端部から垂直方向下方に突出するようにして設けられるとともに、前記手摺壁３の上端面から該手摺壁３の高さ方向に沿って下方に延在する差込孔部３ａに差し込まれる差込ロッドであることから、前記差込ロッド７を前記差込孔部３ａに差し込んでおくことで、この差込ロッド７を上方向（抜き方向）以外に動かないようにすることができるので、前記柵状体６を前記手摺壁３の上端部に容易かつ確実に固定できることとなる。また、前記差込ロッド７を前記差込孔部３ａから引き抜くだけで、前記柵状体６を前記手摺壁３の上端部から容易に外すことができるので、前記柵状体６の突出向きを容易に変更することができる。
【００１０】
請求項３に記載の発明は、例えば図５に示すように、請求項１に記載の落下防止構造において、
前記固定手段１７は、前記柵状体６の基端部に回動自在に連結されるとともに前記手摺壁３の上端面に固定される固定部材であり、
この固定部材１７は、前記柵状体６の直立姿勢を保持する姿勢保持手段１８を備えていることを特徴とする。
【００１１】
請求項３に記載の発明によれば、前記固定手段１７は、前記柵状体６の基端部に回動自在に連結されるとともに前記手摺壁３の上端面に固定される固定部材であることから、前記柵状体６を前記手摺壁３の上端部に確実に固定できるとともに、この柵状体６の突出向きを容易に変更することができる。
また、この固定部材１７は、前記柵状体６の直立姿勢を保持する姿勢保持手段１８を備えているので、この姿勢保持手段１８によって、前記柵状体６の直立姿勢を確実に保持することができ、この柵状体６を前記吹き抜け部１の上部空間１ａ側や上階の部屋２側に倒れることを防ぐことができる。
【００１２】
請求項４に記載の発明は、例えば図１〜図３に示すように、請求項１〜３のいずれか一項に記載の落下防止構造において、
前記机台４は、前記手摺壁３の上階の部屋２側面から前記上階の部屋２側に水平に突出する台本体４ａと、この台本体４ａの上面に載置されるとともに、上面が、上階の部屋２側に向かうにつれて下方に所定角度で傾斜する角度調整体４ｂとを備えていることを特徴とする。
【００１３】
請求項４に記載の発明によれば、前記机台４は、前記手摺壁３の上階の部屋２側面から前記上階の部屋２側に水平に突出する台本体４ａを備えているので、前記机台４の上面を水平の状態で利用することができる。
また、この台本体４ａの上面に載置されるとともに、上面が、上階の部屋２側に向かうにつれて下方に所定角度で傾斜する角度調整体４ｂとを備えているので、例えば子どもが前記机台４上に乗りにくくなるだけでなく、万が一、子どもが前記机台４上に乗ったとしても、身体の重心が上階の部屋２側にかかることになり、身体の重心が吹き抜け部１の上部空間１ａ側にかかる場合に比して安全性が高い。また、この角度調整体４ｂを前記台本体４ａの上面に載置することで、前記机台４の上面を傾斜させた状態で利用することができる。
【００１４】
請求項５に記載の発明は、例えば図４に示すように、請求項１〜３のいずれか一項に記載の落下防止構造において、
前記机台１４は、前記手摺壁３の上階の部屋２側面から前記上階の部屋２側に突出するとともに、上階の部屋２側に向かうにつれて下方に所定角度で傾斜する台本体１４ａと、この台本体１４ａの上面に載置されるとともに、この台本体１４ａの上面に載置されることによって上面が水平面となる角度調整体１４ｂとを備えていることを特徴とする。
【００１５】
請求項５に記載の発明によれば、前記机台１４は、前記手摺壁３の上階の部屋２側面から前記上階の部屋２側に突出するとともに、上階の部屋２側に向かうにつれて下方に所定角度で傾斜する台本体１４ａを備えているので、例えば子どもが前記机台１４上に乗りにくくなるだけでなく、万が一、子どもが前記机台１４上に乗ったとしても、身体の重心が上階の部屋２側にかかることになり、身体の重心が吹き抜け部１の上部空間１ａ側にかかる場合に比して安全性が高い。また、前記机台４の上面を傾斜させた状態で利用することができる。
また、この台本体１４ａの上面に載置されるとともに、この台本体１４ａの上面に載置されることによって上面が水平面となる角度調整体１４ｂとを備えているので、この角度調整体１４ｂを前記台本体１４ａの上面に載置することで、前記机台１４の上面を水平の状態で利用することができる。
【００１６】
請求項６に記載の発明は、例えば図６に示すように、請求項１〜５のいずれか一項に記載の落下防止構造において、
前記柵状体６は水平方向に沿って所定の範囲内で伸縮自在に構成されていることを特徴とする。
【００１７】
請求項６に記載の発明によれば、前記柵状体６は水平方向に沿って所定の範囲内で伸縮自在に構成されているので、この柵状体６による物品等の落下防止範囲を水平方向に沿って変更することができる。また、例えば、この柵状体６を前記上階の部屋２側に、前記机台４，１４の突出長さよりも伸ばして突出させることで、子どもが前記机台４，１４上に、より乗りにくくなる。
【発明の効果】
【００１８】
本発明によれば、上階の部屋と、下階から上階に吹き抜ける吹き抜け部の上部空間とが隣接しているので、上階の部屋と、吹き抜け部を有する下階の部屋とを開放感のある部屋とすることができる。
また、手摺壁の上端部には、机台の不使用時には上階の部屋側に水平に突出するように配置されるとともに、机台の使用時には吹き抜け部の上部空間側に水平に突出するようにして配置される柵状体と、この柵状体の突出向きを変更可能とするとともに、この柵状体を手摺壁の上端部に固定する固定手段とを備えた落下防止装置が設けられているので、机台の不使用時に、柵状体を上階の部屋側に水平に突出させることで、例えば子どもが机台上に乗ることを防ぐことができる。さらに、机台の使用時に、柵状体を吹き抜け部の上部空間側に水平に突出させることで、手摺壁上からの物品等の落下を防ぐことができる。また、机台の上面は、上階の部屋側に向かうにつれて下方に所定角度で傾斜しているので、例えば子どもが机台上に乗りにくくなるだけでなく、万が一、子どもが机台上に乗ったとしても、身体の重心が上階の部屋側にかかることになるので、身体の重心が吹き抜け部の上部空間側にかかる場合に比して安全性が高い。
【図面の簡単な説明】
【００１９】
【図１】本発明の落下防止構造を採用した建物を示す側断面図である。
【図２】本発明の落下防止構造の一例を示す斜視図である。
【図３】図２に示す落下防止構造の側断面図である。
【図４】机台の他の一例を示す側断面図である。
【図５】固定手段の一例を示す側断面図である。
【図６】柵状体の伸縮の構造の一例を示す側断面図である。
【発明を実施するための形態】
【００２０】
以下、図面を参照して本発明の実施の形態について説明する。
図１は本発明に係る落下防止構造を採用した建物の一例を示す側断面図である。
図１において符号１は、吹き抜け部を示す。この吹き抜け部１は、下階から上階に吹き抜けるように形成されており、その下部空間は下階の部屋と連続する空間となっており、上部空間１ａは上階の部屋２と連続する空間となっている。
また、本実施の形態の上階の部屋２は小屋裏空間を利用してなるものであり、前記下階の部屋の上部に位置する床２ａを備えている。この床２ａは上階の部屋２の壁から前記吹き抜け部１に達する長さに設定されており、前記吹き抜け部１の上部空間１ａと下部空間は、この床２ａよりも上が上部空間１ａとされ、下が下部空間とされている。
【００２１】
また、前記上階の部屋２の床２ａの縁部には、前記上部空間１ａに面する手摺壁３が立設されている。この手摺壁３は、前記床２ａの前記上部空間に面する端部の長さ方向に沿って、かつ、この床２ａの前記上部空間に面する端部の長さ方向と直交する方向に立設される建物の壁８に当接するようにして立設されている。
さらに、この手摺壁３の上階の部屋２側面には、図１〜図３に示すように、前記上階の部屋２側に突出するとともに、上面が、上階の部屋２側に向かうにつれて下方に所定角度で傾斜する机台４が設けられている。
【００２２】
そして、この手摺壁３の上端部には、落下防止装置５が設けられている。
この落下防止装置５は、前記机台４の不使用時には上階の部屋２側に水平に突出するように配置されるとともに、前記机台４の使用時には吹き抜け部１の上部空間１ａ側に水平に突出するようにして配置される柵状体６と、この柵状体６の突出向きを変更可能とするとともに、この柵状体６を前記手摺壁３の上端部に固定する固定手段７とを備えている。
また、この手摺壁３には、この手摺壁３の上端面から該手摺壁３の高さ方向に沿って下方に延在する差込孔部３ａが形成されており、後述する差込ロッド７が挿入可能となっている。また、この差込孔部３ａは、前記手摺壁３の上端面の長さ方向に沿って複数形成されている。
【００２３】
前記柵状体６は、例えば金属製であり、図２に示すように、門型に形成されたフレーム６ａと、このフレーム６ａ内に設けられる網状部６ｂとを有している。
なお、この柵状体６は網状部６ｂ以外にも、例えば樹脂製の板状体等を利用しても良いものとする。
また、この柵状体６は、図６に示すように、水平方向に沿って所定の範囲内で伸縮自在に構成されていてもよいものとする。すなわち、前記フレーム６ａを中空とするとともに、この中空部内に伸縮用パイプ６ｃを挿入し、この伸縮用パイプ６ｃからフレーム６ａが外れない範囲内で伸縮自在とする。また、前記フレーム６ａにボルト挿通孔を形成して、固定用ボルト６ｄを螺合できるように構成し、この固定用ボルト６ｄの締め付けによって、前記フレーム６ａが前記伸縮用パイプ６ｃから外れることを防ぐようにする。
これによって、前記柵状体６による物品等の落下防止範囲を水平方向に沿って変更することができる。また、例えば、この柵状体６を前記上階の部屋２側に、前記机台４の突出長さよりも伸ばして突出させることで、子どもが前記机台４上に、より乗りにくくなる。
【００２４】
また、前記固定手段７は、図２および図３に示すように、前記柵状体６の基端部から垂直方向下方に突出するようにして設けられるとともに、前記差込孔部３ａに差し込まれる差込ロッドである。
この差込ロッド７は、基端部が、前記柵状体６と一体形成される金属製の棒状部材であり、垂直方向に沿って下方に突出している。そして、この差込ロッド７を前記差込孔部３ａに差し込んでおくことで、この差込ロッド７を上方向（抜き方向）以外に動かないようにすることができる。また、差込ロッド７を前記差込孔部３ａから引き抜くだけで、前記柵状体６を前記手摺壁３の上端部から容易に外すことができるので、前記柵状体６の突出向きを容易に変更できるようになっている。
【００２５】
なお、前記柵状体６を手摺壁３の上端部に固定するための固定手段は、上記の固定手段７に限られるものではなく、適宜変更可能である。
すなわち、例えば図５に示すように、前記柵状体６の基端部に回動自在に連結されるとともに前記手摺壁３の上端面に固定される固定部材を用いた固定手段１７であってもよい。また、この固定部材１７は、前記手摺壁３の上端面に固定されるベースプレート１７ａと、このベースプレート１７ａの上面に設けられるとともに前記柵状体６の直立姿勢を保持する姿勢保持手段１８とを備えている。なお、このような固定手段１７と前記柵状体６とを備えるものを落下防止装置１５としている。
また、前記姿勢保持手段１８は、前記柵状体６のフレーム６ａの基端部に固定される第１ピン１８ａと、この第１ピン１８ａから所定間隔離間して前記フレーム６ａに固定される第２ピン１８ｂと、前記ベースプレート１８ｃと一体形成されるとともに垂直に立ち上がる垂直板部１８ｃと、この垂直板部１８ｃの長さ方向に沿って形成されるとともに前記第１ピン１８ａが長さ方向に沿って摺動可能に結合される長孔１８ｄと、前記垂直板部１８ｃの上端部に形成されるとともに前記第２ピン１８ｂが上方から挿入して嵌め込まれる切欠部１８ｅとを備えているものとする。
このような固定手段１７によれば、前記柵状体６を前記手摺壁３の上端部に確実に固定できるとともに、この柵状体６の突出向きを容易に変更することができる。
また、この固定部材１７は、前記柵状体６の直立姿勢を保持する姿勢保持手段１８を備えているので、この姿勢保持手段１８によって、前記柵状体６の直立姿勢を確実に保持することができ、この柵状体６を前記吹き抜け部１の上部空間１ａ側や上階の部屋２側に倒れることを防ぐことができる。
【００２６】
前記机台４は、前記手摺壁３の上階の部屋２側面から前記上階の部屋２側に水平に突出する台本体４ａと、この台本体４ａの上面に載置されるとともに、上面が、上階の部屋２側に向かうにつれて下方に所定角度で傾斜する角度調整体４ｂとを備えている。
また、この机台４の下面には、前記手摺壁３に固定されて、該机台４を支持する支持部材４ｄが固定されている。
【００２７】
前記台本体４ａは、上面が、勉強等を行うための作業面とされている。
また、この台本体４ａの突出方向側端部には、この台本体４ｄの長さ方向に沿って長尺に形成されるとともに、該台本体４ａの上面よりも上方に突出する立ち上がり部材４ｃが設けられており、この立ち上がり部材４ｃと前記手摺壁３の上階の部屋２側面との間に前記角度調整体４ｂが設けられている。
【００２８】
前記角度調整体４ｂは、側面視直角三角形状に形成されており、傾斜する上面が、勉強等を行うための作業面とされている。なお、この角度調整体の傾斜角度は、例えば、１５度〜３０度の範囲で設定されている。
【００２９】
なお、机台４の形態は、上記のものに限られるものではなく、適宜変更可能である。
すなわち、図４に示すように、前記手摺壁３の上階の部屋２側面から前記上階の部屋２側に突出するとともに、上階の部屋２側に向かうにつれて下方に所定角度で傾斜する台本体１４ａと、この台本体１４ａの上面に載置されるとともに、この台本体１４ａの上面に載置されることによって上面が水平面となる角度調整体１４ｂとを備える机台１４等であっても良い。
また、この机台１４にも、本実施の形態の机台４のような立ち上がり部材１４ｃが設けられており、さらに、下面には支持部材１４ｄが固定されているものとする。なお、前記台本体１４ａの傾斜角度は、例えば、１５度〜３０度の範囲で設定されている。
このような机台１４によれば、前記手摺壁３の上階の部屋２側面から前記上階の部屋２側に突出するとともに、上階の部屋２側に向かうにつれて下方に所定角度で傾斜する台本体１４ａを備えているので、例えば子どもが前記机台１４上に乗りにくくなるだけでなく、万が一、子どもが前記机台１４上に乗ったとしても、身体の重心が上階の部屋２側にかかることになり、身体の重心が吹き抜け部１の上部空間１ａ側にかかる場合に比して安全性が高い。また、前記机台４の上面を傾斜させた状態で利用することができる。
また、この台本体１４ａの上面に載置されるとともに、この台本体１４ａの上面に載置されることによって上面が水平面となる角度調整体１４ｂとを備えているので、この角度調整体１４ｂを前記台本体１４ａの上面に載置することで、前記机台１４の上面を水平の状態で利用することができる。
【００３０】
本実施の形態によれば、上階の部屋２と、下階から上階に吹き抜ける吹き抜け部１の上部空間１ａとが隣接しているので、前記上階の部屋２と、前記吹き抜け部１を有する下階の部屋とを開放感のある部屋とすることができる。
また、前記手摺壁３の上端部には、前記机台４の不使用時には上階の部屋２側に水平に突出するように配置されるとともに、前記机台４の使用時には吹き抜け部１の上部空間１ａ側に水平に突出するようにして配置される柵状体６と、この柵状体６の突出向きを変更可能とするとともに、この柵状体６を前記手摺壁３の上端部に固定する固定手段７とを備えた落下防止装置５が設けられているので、前記机台４の不使用時に、前記柵状体６を上階の部屋２側に水平に突出させることで、例えば子どもが前記机台４上に乗ることを防ぐことができる。さらに、前記机台４の使用時に、前記柵状体６を吹き抜け部１の上部空間１ａ側に水平に突出させることで、前記手摺壁３上からの物品等の落下を防ぐことができる。また、前記机台４の上面は、上階の部屋２側に向かうにつれて下方に所定角度で傾斜しているので、例えば子どもが前記机台４上に乗りにくくなるだけでなく、万が一、子どもが前記机台４上に乗ったとしても、身体の重心が上階の部屋２側にかかることになるので、身体の重心が吹き抜け部１の上部空間１ａ側にかかる場合に比して安全性が高い。
【００３１】
また、前記固定手段７は、前記柵状体６の基端部から垂直方向下方に突出するようにして設けられるとともに、前記手摺壁３の上端面から該手摺壁３の高さ方向に沿って下方に延在する差込孔部３ａに差し込まれる差込ロッドであることから、前記差込ロッド７を前記差込孔部３ａに差し込んでおくことで、この差込ロッド７を上方向（抜き方向）以外に動かないようにすることができるので、前記柵状体６を前記手摺壁３の上端部に容易かつ確実に固定できることとなる。また、前記差込ロッド７を前記差込孔部３ａから引き抜くだけで、前記柵状体６を前記手摺壁３の上端部から容易に外すことができるので、前記柵状体６の突出向きを容易に変更することができる。
【００３２】
また、前記机台４は、前記手摺壁３の上階の部屋２側面から前記上階の部屋２側に水平に突出する台本体４ａを備えているので、前記机台４の上面を水平の状態で利用することができる。
また、この台本体４ａの上面に載置されるとともに、上面が、上階の部屋２側に向かうにつれて下方に所定角度で傾斜する角度調整体４ｂとを備えているので、例えば子どもが前記机台４上に乗りにくくなるだけでなく、万が一、子どもが前記机台４上に乗ったとしても、身体の重心が上階の部屋２側にかかることになり、身体の重心が吹き抜け部１の上部空間１ａ側にかかる場合に比して安全性が高い。また、この角度調整体４ｂを前記台本体４ａの上面に載置することで、前記机台４の上面を傾斜させた状態で利用することができる。
【符号の説明】
【００３３】
１  吹き抜け部
１ａ  上部空間
２  上階の部屋
３  手摺壁
４  机台
５  落下防止装置
６  柵状体
７  固定手段（差込ロッド）
１４  机台
１５  落下防止装置
１７  固定手段（固定部材）
【図１】
2010222919.tif 000003
【図２】
2010222919.tif 000004
【図３】
2010222919.tif 000005
【図４】
2010222919.tif 000006
【図５】
2010222919.tif 000007
【図６】
2010222919.tif 000008